【手続補正書】
【提出日】平成17年2月23日(2005.2.23)
【手続補正１】
【補正対象書類名】明細書
【補正対象項目名】特許請求の範囲
【補正方法】変更
【補正の内容】
【特許請求の範囲】
【請求項１】
コンテンツ及び前記コンテンツを編集するスクリプト群を受信するデータ受信部と、
前記データ受信部により受信されたスクリプト群の中で実行すべきスクリプトを選択するスクリプト選択部と、
前記スクリプト選択部により選択されたスクリプトを解釈するスクリプト解釈部と、
前記スクリプト解釈部により出力された編集手順に基づきコンテンツの編集処理を行なう編集部と、
前記コンテンツ及びスクリプト群を蓄積する蓄積部と、
コンテンツ及びスクリプト群を表示する表示部と、
全体の制御を行なう制御部と、
を備えるデータ受信装置。
【請求項２】
前記制御部は、記録時に、前記編集部により編集されたコンテンツのみを前記蓄積部に蓄積する請求項１に記載のデータ受信装置。
【請求項３】
前記制御部は、再生時に、前記蓄積部に蓄積された編集済みのコンテンツを読み出して、前記表示部に表示する請求項２に記載のデータ受信装置。
【請求項４】
前記制御部は、記録時に、前記コンテンツを編集せずに、前記コンテンツと前記スクリプト群を組にして前記蓄積部に蓄積する請求項１に記載のデータ受信装置。
【請求項５】
前記制御部は、再生時に、前記蓄積部に蓄積された前記コンテンツと前記スクリプト群の組を読み出し、前記スクリプト選択部は、読み出されたスクリプト群の中で実行すべきスクリプトを選択し、前記表示部は、前記編集部により編集されたコンテンツを表示する請求項４に記載のデータ受信装置。
【請求項６】
前記スクリプト選択部は、前記スクリプト群を前記表示部に表示してユーザと対話的にスクリプトを選択する請求項１から５のいずれかに記載のデータ受信装置。
【請求項７】
前記スクリプト選択部は、予め登録されたユーザの興味や嗜好に基づきスクリプトを自動的に選択する請求項１から５のいずれかに記載のデータ受信装置。
【請求項８】
前記スクリプトには、コンテンツのデータ切り出しを指示する記述と、切り出したコンテンツのデータの結合を指示する記述が含まれ、前記編集部は、前記スクリプトに従って、前記コンテンツのデータの切り出しと、切り出したコンテンツのデータの結合を実行する請求項１から７のいずれかに記載のデータ受信装置。
【請求項９】
前記スクリプトには、データ受信装置のＩＤに応じて編集処理を変更する記述が含まれ、前記編集部は、前記ＩＤに応じて編集処理を変更する請求項１から８のいずれかに記載のデータ受信装置。
【請求項１０】
前記スクリプトには、データ受信装置の蓄積部の空き容量に応じて編集処理を変更する記述が含まれ、前記編集部は、前記空き容量に応じて編集処理を変更する請求項１から８のいずれかに記載のデータ受信装置。
【請求項１１】
受信したスクリプトに基づいてコンテンツが編集されるデータ受信装置に対してデータを送るデータ送信装置において、
前記コンテンツを編集するためのスクリプト群を生成するスクリプト生成部と、
コンテンツ及びスクリプト群を送信するデータ送信部と、
を備えるデータ送信装置。
【請求項１２】
前記スクリプト生成部は、前記コンテンツのデータの切り出しを指示する記述と、切り出したコンテンツのデータの結合を指示する記述とが含まれるスクリプトを生成する請求項１１に記載のデータ送信装置。
【請求項１３】
前記スクリプト生成部は、前記データ受信装置のＩＤに応じて編集処理を変更できるスクリプトを生成する請求項１１に記載のデータ送信装置。
【請求項１４】
前記スクリプト生成部は、前記データ受信装置の蓄積部の空き容量に応じて編集処理を変更できるスクリプトを生成する請求項１１に記載のデータ送信装置。
【請求項１５】
コンテンツの編集方法であって、前記コンテンツを受信したデータ受信装置が実行するところの、
コンテンツ及びコンテンツを編集するスクリプト群を受信するステップと、
受信したスクリプト群の中で実行すべきスクリプトを選択するステップと、
選択したスクリプトを解釈することで前記コンテンツの編集手順を得るステップと、
前記編集手順に基づきコンテンツの編集処理を行なうステップと、
を有するコンテンツ編集方法。
【請求項１６】
前記スクリプトには、コンテンツのデータの切り出しを指示する記述と、切り出したコンテンツのデータの結合を指示する記述とが含まれており、
前記コンテンツの編集処理を行うステップにおける編集処理には、前記コンテンツのデータを切り出す処理と、切り出したコンテンツのデータを結合する処理とが含まれる請求項１５に記載のコンテンツ編集方法。
【請求項１７】
前記スクリプトには、データ受信装置のＩＤに応じて編集処理を変更する記述が含まれており、
コンテンツの編集処理を行うステップにおける編集処理には、前記ＩＤに応じて編集処理を変更する処理が含まれる請求項１５に記載のコンテンツ編集方法。
【請求項１８】
前記スクリプトには、データ受信装置の蓄積部の空き容量に応じて編集処理を変更する記述が含まれており、
コンテンツの編集処理を行うステップにおける編集処理は、前記空き容量に応じて編集処理を変更する処理が含まれる請求項１５記載のコンテンツ編集方法。
【手続補正２】
【補正対象書類名】明細書
【補正対象項目名】００１４
【補正方法】変更
【補正の内容】
【００１４】
本発明の請求項２に記載の発明は、請求項１に記載のデータ受信装置において、前記制御部は、記録時に、前記編集部により編集されたコンテンツのみを前記蓄積部に蓄積するものであり、蓄積部には編集済みのコンテンツが蓄積されるから、蓄積部の記憶領域を有効に活用することができるという作用を有する。
【手続補正３】
【補正対象書類名】明細書
【補正対象項目名】００１５
【補正方法】変更
【補正の内容】
【００１５】
本発明の請求項３に記載の発明は、請求項２に記載のデータ受信装置において、前記制御部は、再生時に、前記蓄積部に蓄積された編集済みのコンテンツを読み出して、前記表示部に表示するものであり、表示を見ながらコンテンツを編集することができるという作用を有する。
【手続補正４】
【補正対象書類名】明細書
【補正対象項目名】００１６
【補正方法】変更
【補正の内容】
【００１６】
本発明の請求項４に記載の発明は、請求項１に記載のデータ受信装置において、前記制御部は、記録時に、前記コンテンツを編集せずに、前記コンテンツと前記スクリプト群を組にして前記蓄積部に蓄積するものであり、コンテンツの編集で後で行なうことができるという作用を有する。
【手続補正５】
【補正対象書類名】明細書
【補正対象項目名】００１７
【補正方法】変更
【補正の内容】
【００１７】
本発明の請求項５に記載の発明は、請求項４に記載のデータ受信装置において、前記制御部は、再生時に、前記蓄積部に蓄積された前記コンテンツと前記スクリプト群の組を読み出し、前記スクリプト選択部は、読み出されたスクリプト群の中で実行すべきスクリプトを選択し、前記表示部は、前記編集部により編集されたコンテンツを表示するものであり、視聴時にコンテンツを編集することにより、バラエティに富んだ番組を視聴できるという作用を有する。
【手続補正６】
【補正対象書類名】明細書
【補正対象項目名】００１８
【補正方法】変更
【補正の内容】
【００１８】
本発明の請求項６に記載の発明は、請求項１から５のいずれかに記載のデータ受信装置において、前記スクリプト選択部は、前記スクリプト群を前記表示部に表示してユーザと対話的にスクリプトを選択するものであり、ユーザにとってはスクリプトの選択により自分の好みに合わせてコンテンツを編集することができるという作用を有する。
【手続補正７】
【補正対象書類名】明細書
【補正対象項目名】００１９
【補正方法】変更
【補正の内容】
【００１９】
本発明の請求項７に記載の発明は、請求項１から５のいずれかに記載のデータ受信装置において、前記スクリプト選択部は、予め登録されたユーザの興味や嗜好に基づきスクリプトを自動的に選択するものであり、ユーザは特に編集の指示を出さなくても自分の好みに合ったコンテンツの編集を受けることができるという作用を有する。
【手続補正８】
【補正対象書類名】明細書
【補正対象項目名】００２０
【補正方法】変更
【補正の内容】
【００２０】
本発明の請求項８に記載の発明は、請求項１から７のいずれかに記載のデータ受信装置において、前記スクリプトには、コンテンツのデータ切り出しを指示する記述と、切り出したコンテンツのデータの結合を指示する記述が含まれ、前記編集部は、前記スクリプトに従って、前記コンテンツのデータの切り出しと、切り出したコンテンツのデータの結合を実行するものであり、受信したスクリプトを基にデータを編集することができるという作用を有する。
【手続補正９】
【補正対象書類名】明細書
【補正対象項目名】００２１
【補正方法】変更
【補正の内容】
【００２１】
本発明の請求項９に記載の発明は、請求項１から８のいずれかに記載のデータ受信装置において、前記スクリプトには、データ受信装置のＩＤに応じて編集処理を変更する記述が含まれ、前記編集部は、前記ＩＤに応じて編集処理を変更するものであり、自装置に適した編集を行なうことにより、バラエティに富んだコンテンツを提供することができるという作用を有する。
【手続補正１０】
【補正対象書類名】明細書
【補正対象項目名】００２２
【補正方法】変更
【補正の内容】
【００２２】
本発明の請求項１０に記載の発明は、請求項１から８のいずれかに記載のデータ受信装置において、前記スクリプトには、データ受信装置の蓄積部の空き容量に応じて編集処理を変更する記述が含まれ、前記編集部は、前記空き容量に応じて編集処理を変更するものであり、自装置の空き容量に応じた編集を行なうことにより、バラエティに富んだコンテンツを提供できるという作用を有する。
【手続補正１１】
【補正対象書類名】明細書
【補正対象項目名】００２３
【補正方法】変更
【補正の内容】
【００２３】
本発明の請求項１１に記載の発明は、受信したスクリプトに基づいてコンテンツが編集されるデータ受信装置に対してデータを送るデータ送信装置において、前記コンテンツを編集するためのスクリプト群を生成するスクリプト生成部と、コンテンツ及びスクリプト群を送信するデータ送信部とを備えるものであり、データ受信装置ごとに、或いはデータ受信装置のグループごとに異なった編集を行なうことにより、バラエティに富んだコンテンツを提供することができるという作用を有する。
【手続補正１２】
【補正対象書類名】明細書
【補正対象項目名】００２４
【補正方法】変更
【補正の内容】
【００２４】
本発明の請求項１２に記載の発明は、請求項１１に記載のデータ送信装置において、前記スクリプト生成部は、前記コンテンツのデータの切り出しを指示する記述と、切り出したコンテンツのデータの結合を指示する記述とが含まれるスクリプトを生成するものであり、データ受信装置側では、受信したスクリプトを基にデータを編集することができるという作用を有する。
【手続補正１３】
【補正対象書類名】明細書
【補正対象項目名】００２５
【補正方法】変更
【補正の内容】
【００２５】
本発明の請求項１３に記載の発明は、請求項１１に記載のデータ送信装置において、前記スクリプト生成部は、前記データ受信装置のＩＤに応じて編集処理を変更できるスクリプトを生成するものであり、データ受信装置側では、自装置に適した編集を行なうことができ、バラエティに富んだコンテンツを提供することができるという作用を有する。
【手続補正１４】
【補正対象書類名】明細書
【補正対象項目名】００２６
【補正方法】変更
【補正の内容】
【００２６】
本発明の請求項１４に記載の発明は、請求項１１に記載のデータ送信装置において、前記スクリプト生成部は、前記データ受信装置の蓄積部の空き容量に応じて編集処理を変更できるスクリプトを生成するものであり、データ受信装置側では、自装置の空き容量に応じた編集を行なうことができ、バラエティに富んだコンテンツを提供できるという作用を有する。
【手続補正１５】
【補正対象書類名】明細書
【補正対象項目名】００２７
【補正方法】変更
【補正の内容】
【００２７】
本発明の請求項１５に記載の発明は、コンテンツの編集方法であって、前記コンテンツを受信したデータ受信装置が実行するところの、コンテンツ及びコンテンツを編集するスクリプト群を受信するステップと、受信したスクリプト群の中で実行すべきスクリプトを選択するステップと、選択したスクリプトを解釈することで前記コンテンツの編集手順を得るステップと、前記編集手順に基づきコンテンツの編集処理を行なうステップと、を有するものであり、ユーザにとってはスクリプトの選択により自分の好みに合わせてコンテンツを編集することができるという作用を有する。
【手続補正１６】
【補正対象書類名】明細書
【補正対象項目名】００２８
【補正方法】変更
【補正の内容】
【００２８】
本発明の請求項１６に記載の発明は、請求項１５に記載のコンテンツ編集方法であって、前記スクリプトには、コンテンツのデータの切り出しを指示する記述と、切り出したコンテンツのデータの結合を指示する記述とが含まれており、前記コンテンツの編集処理を行うステップにおける編集処理には、前記コンテンツのデータを切り出す処理と、切り出したコンテンツのデータを結合する処理とが含まれるものであり、受信したスクリプトを基にデータを編集することができるという作用を有する。
【手続補正１７】
【補正対象書類名】明細書
【補正対象項目名】００２９
【補正方法】変更
【補正の内容】
【００２９】
本発明の請求項１７に記載の発明は、請求項１５に記載のコンテンツ編集方法であって、前記スクリプトには、データ受信装置のＩＤに応じて編集処理を変更する記述が含まれており、コンテンツの編集処理を行うステップにおける編集処理には、前記ＩＤに応じて編集処理を変更する処理が含まれるものであり、自装置に適した編集を行なうことにより、バラエティに富んだコンテンツを提供できるという作用を有する。
【手続補正１８】
【補正対象書類名】明細書
【補正対象項目名】００３０
【補正方法】変更
【補正の内容】
【００３０】
本発明の請求項１８に記載の発明は、請求項１５記載のコンテンツ編集方法であって、前記スクリプトには、データ受信装置の蓄積部の空き容量に応じて編集処理を変更する記述が含まれており、コンテンツの編集処理を行うステップにおける編集処理は、前記空き容量に応じて編集処理を変更する処理が含まれるものであり、自装置の空き容量に応じた編集を行なうことにより、バラエティに富んだコンテンツを提供できるという作用を有する。
【手続補正１９】
【補正対象書類名】明細書
【補正対象項目名】００３１
【補正方法】削除
【補正の内容】
【手続補正２０】
【補正対象書類名】明細書
【補正対象項目名】００３２
【補正方法】削除
【補正の内容】
【手続補正２１】
【補正対象書類名】明細書
【補正対象項目名】００３３
【補正方法】削除
【補正の内容】
【手続補正２２】
【補正対象書類名】明細書
【補正対象項目名】００３４
【補正方法】削除
【補正の内容】
【手続補正２３】
【補正対象書類名】明細書
【補正対象項目名】００３５
【補正方法】削除
【補正の内容】
【手続補正２４】
【補正対象書類名】明細書
【補正対象項目名】００３６
【補正方法】削除
【補正の内容】
【手続補正２５】
【補正対象書類名】明細書
【補正対象項目名】００３７
【補正方法】削除
【補正の内容】
【手続補正２６】
【補正対象書類名】明細書
【補正対象項目名】００３８
【補正方法】削除
【補正の内容】
【手続補正２７】
【補正対象書類名】明細書
【補正対象項目名】００３９
【補正方法】削除
【補正の内容】
【手続補正２８】
【補正対象書類名】明細書
【補正対象項目名】００４０
【補正方法】削除
【補正の内容】
【手続補正２９】
【補正対象書類名】明細書
【補正対象項目名】００４１
【補正方法】削除
【補正の内容】
【手続補正３０】
【補正対象書類名】明細書
【補正対象項目名】００４２
【補正方法】削除
【補正の内容】
【手続補正３１】
【補正対象書類名】明細書
【補正対象項目名】００４３
【補正方法】削除
【補正の内容】
【手続補正３２】
【補正対象書類名】明細書
【補正対象項目名】００４４
【補正方法】削除
【補正の内容】
【手続補正３３】
【補正対象書類名】明細書
【補正対象項目名】００４５
【補正方法】削除
【補正の内容】
【手続補正３４】
【補正対象書類名】明細書
【補正対象項目名】００４６
【補正方法】削除
【補正の内容】
【手続補正３５】
【補正対象書類名】明細書
【補正対象項目名】００４７
【補正方法】削除
【補正の内容】
【手続補正３６】
【補正対象書類名】明細書
【補正対象項目名】００４８
【補正方法】削除
【補正の内容】
【手続補正３７】
【補正対象書類名】明細書
【補正対象項目名】００４９
【補正方法】削除
【補正の内容】
【手続補正３８】
【補正対象書類名】明細書
【補正対象項目名】００５０
【補正方法】削除
【補正の内容】
【手続補正３９】
【補正対象書類名】明細書
【補正対象項目名】００５１
【補正方法】削除
【補正の内容】
【手続補正４０】
【補正対象書類名】明細書
【補正対象項目名】００５２
【補正方法】削除
【補正の内容】
【手続補正４１】
【補正対象書類名】明細書
【補正対象項目名】００５３
【補正方法】削除
【補正の内容】
【手続補正４２】
【補正対象書類名】明細書
【補正対象項目名】００５４
【補正方法】削除
【補正の内容】
【手続補正４３】
【補正対象書類名】明細書
【補正対象項目名】００５５
【補正方法】削除
【補正の内容】
【手続補正４４】
【補正対象書類名】明細書
【補正対象項目名】００５６
【補正方法】削除
【補正の内容】
【手続補正４５】
【補正対象書類名】明細書
【補正対象項目名】００５７
【補正方法】削除
【補正の内容】
【手続補正４６】
【補正対象書類名】明細書
【補正対象項目名】００５８
【補正方法】削除
【補正の内容】
【手続補正４７】
【補正対象書類名】明細書
【補正対象項目名】００５９
【補正方法】削除
【補正の内容】
【手続補正４８】
【補正対象書類名】明細書
【補正対象項目名】００６０
【補正方法】削除
【補正の内容】
【手続補正４９】
【補正対象書類名】明細書
【補正対象項目名】００６１
【補正方法】削除
【補正の内容】
【手続補正５０】
【補正対象書類名】明細書
【補正対象項目名】００６２
【補正方法】削除
【補正の内容】
【手続補正５１】
【補正対象書類名】明細書
【補正対象項目名】００６３
【補正方法】削除
【補正の内容】
【手続補正５２】
【補正対象書類名】明細書
【補正対象項目名】００６４
【補正方法】削除
【補正の内容】
【手続補正５３】
【補正対象書類名】明細書
【補正対象項目名】００６５
【補正方法】削除
【補正の内容】